(57)【要約】【課題】パワーアンプの発熱による通信性能及びユーザーの使用感の低下を回避する。【解決手段】送信動作に用いる複数のパワーアンプ３０ａ〜３０ｃと、複数のパワーアンプ３０ａ〜３０ｃに対応して設けられ、対応するパワーアンプ３０ａ〜３０ｃの温度を検出する複数のサーミスタ５０ａ〜５０ｃとを有し、サーミスタ５０ａ〜５０ｃにて検出された温度が一定時間所定の温度以上であるパワーアンプ以外のパワーアンプを用いて送信動作を行う。【選択図】図１
2012182636.tif 000002
【特許請求の範囲】
【請求項１】
送信動作に用いるパワーアンプを複数有する携帯電話機において、
前記複数のパワーアンプに対応して設けられ、対応するパワーアンプの温度を検出する複数の温度検出手段と、
前記温度検出手段にて検出された温度が一定時間所定の温度以上である場合、前記複数のパワーアンプのうち当該温度検出手段に対応するパワーアンプ以外のパワーアンプを用いて送信動作を行う制御手段とを有することを特徴とする携帯電話機。
【請求項２】
請求項１に記載の携帯電話機において、
前記複数のパワーアンプのそれぞれは、通信方式に応じたものであり、
前記制御手段は、前記温度検出手段にて検出された温度が一定時間所定の温度以上となっていないパワーアンプのうち、送信動作に用いる通信方式に応じたパワーアンプを用いて送信動作を行う携帯電話機。
【請求項３】
請求項１または請求項２に記載の携帯電話機において、
前記制御手段は、前記複数のパワーアンプの温度が全て一定時間所定の温度以上である場合、前記パワーアンプを用いない通信方式によって送信動作を行う携帯電話機。
【請求項４】
請求項３に記載の携帯電話機において、
前記パワーアンプを用いない通信方式がBluetoothである携帯電話機。
【請求項５】
請求項３に記載の携帯電話機において、
前記パワーアンプを用いない通信方式がＷＬＡＮである携帯電話機。
【請求項６】
請求項１乃至５のいずれか１項に記載の携帯電話機において、
前記温度検出手段がサーミスタである携帯電話機。
【発明の詳細な説明】
【技術分野】
【０００１】
本発明は、複数のパワーアンプを有する携帯電話機に関し、特に、パワーアンプの発熱による弊害を回避する技術に関する。
【背景技術】
【０００２】
現在、携帯電話機は、情報交換や情報収集の面から、生活にはなくてはならないツールとなりつつある。このような携帯電話機は、世の中に登場した当時は、通話機能しか有していないものがほとんどであったが、昨今、ゲームやワンセグ、フルブラウザ、メール、カメラ等の多くのアプリケーションを使用できるようになっている。また、利用者の利便性向上のために小型化が図られている。そのため、携帯電話機の発熱の要因が多岐にわたっている。
【０００３】
そこで、携帯電話機の発熱状態に応じて２つのＦＥＴを選択駆動させる技術が、例えば、特許文献１に開示されている。この技術においては、充電電流制御ＦＥＴを２つ設け、携帯電話機の内部に設けられた熱拡散シートの温度に応じて２つの充電電流制御ＦＥＴのいずれか一方を選択駆動させ、それにより、携帯電話機の筐体温度が異常に高くなることを回避している。
【０００４】
図５は、携帯電話機の送信機能部分の一般的な構成を示す図であり、（ａ）はブロック図、（ｂ）は実装基板上の配置を示す図である。
【０００５】
一般的な携帯電話機は図５に示すように、ベースバンド部１４０と、通信方式に応じたパワーアンプ１３０ａ〜１３０ｃ、デュプレクサ（ＤＰＸ）１２０ａ〜１２０ｃ及びアンテナ１１０ａ〜１１０ｃとを有しており、ベースバンド部１４０から出力された信号が、通信方式に応じてパワーアンプ１３０ａ〜１３０ｃにて増幅され、ＤＰＸ１２０ａ〜１２０ｃ及びアンテナ１１０ａ〜１１０ｃを介して送信されることになる。
【先行技術文献】
【特許文献】
【０００６】
【特許文献１】特開２００８−１３１８０３号公報
【発明の概要】
【発明が解決しようとする課題】
【０００７】
上述したような携帯電話機においては、パワーアンプは携帯電話機に用いられる部品の中で消費電力が大きな部品であり、具体的には、最大送信出力時には数百ｍＡ程度の電流が流れる。そのため、発熱の面においては、パワーアンプの発熱が携帯電話機に最も影響を及ぼすことになる。
【０００８】
パワーアンプが発熱した場合、送信波形の歪が増大したり、送信出力が低下したりしてしまい、また、パワーアンプの発熱によって携帯電話機自体の温度が上昇し、ユーザーの使用感が低下してしまうという問題点がある。
【０００９】
本発明は、上述したような技術が有する問題点に鑑みてなされたものであって、パワーアンプの発熱による通信性能及びユーザーの使用感の低下を回避することができる携帯電話機を提供することを目的とする。
【課題を解決するための手段】
【００１０】
上記目的を達成するために本発明は、
送信動作に用いるパワーアンプを複数有する携帯電話機において、
前記複数のパワーアンプに対応して設けられ、対応するパワーアンプの温度を検出する複数の温度検出手段と、
前記温度検出手段にて検出された温度が一定時間所定の温度以上である場合、前記複数のパワーアンプのうち当該温度検出手段に対応するパワーアンプ以外のパワーアンプを用いて送信動作を行う制御手段とを有することを特徴とする。
【発明の効果】
【００１１】
以上説明したように本発明においては、複数のパワーアンプのうち発熱していないパワーアンプを用いて送信動作を行う構成としたため、歪のない送信波で通信することができ、また、その際、送信出力が下がることがない。また、携帯電話機の温度上昇が回避され、ユーザーの使用感が向上する。
【図面の簡単な説明】
【００１２】
【図１】本発明の携帯電話機の実施の一形態の送信機能部分の構成を示す図であり、（ａ）はブロック図、（ｂ）は実装基板上の配置を示す図である。
【図２】図１に示した携帯電話機における送信動作を説明するためのフローチャートである。
【図３】本発明の携帯電話機の他の実施の形態の送信機能部分の構成を示す図であり、（ａ）はブロック図、（ｂ）は実装基板上の配置を示す図である。
【図４】図３に示した携帯電話機における送信動作を説明するためのフローチャートである。
【図５】携帯電話機の送信機能部分の一般的な構成を示す図であり、（ａ）はブロック図、（ｂ）は実装基板上の配置を示す図である。
【発明を実施するための形態】
【００１３】
以下に、本発明の実施の形態について図面を参照して説明する。
【００１４】
図１は、本発明の携帯電話機の実施の一形態の送信機能部分の構成を示す図であり、（ａ）はブロック図、（ｂ）は実装基板上の配置を示す図である。
【００１５】
本形態は図１に示すように、ベースバンド部４０及び制御部６０と、パワーアンプ３０ａ〜３０ｃ、デュプレクサ（ＤＰＸ）２０ａ〜２０ｃ及びアンテナ１０ａ〜１０ｃと、パワーアンプ３０ａ〜３０ｃに対応して設けられた温度検出手段であるサーミスタ５０ａ〜５０ｃとを有している。
【００１６】
パワーアンプ３０ａ〜３０ｃは、それぞれ通信方式に応じたものであり、実装基板上にて隔離して分散配置されている。そして、これらパワーアンプ３０ａ〜３０ｃの近傍にサーミスタ５０ａ〜５０ｃがそれぞれ配置されている。このように、パワーアンプ３０ａ〜３０ｃを実装基板上にて隔離して分散配置することで、送信動作しているパワーアンプ以外のパワーアンプが温度上昇することが回避される。
【００１７】
上記のように構成された携帯電話機においては、ベースバンド部４０から出力された信号が、通信方式に応じてパワーアンプ３０ａ〜３０ｃにて増幅され、ＤＰＸ２０ａ〜２０ｃ及びアンテナ１０ａ〜１０ｃを介して送信されることになる。
【００１８】
以下に、上述した携帯電話機における送信動作について説明する。
【００１９】
図２は、図１に示した携帯電話機における送信動作を説明するためのフローチャートである。
【００２０】
携帯電話機が通信状態になると、パワーアンプ３０ａ〜３０ｃのいずれかが動作し、送信出力によって、動作しているパワーアンプの温度が上昇することになるが、パワーアンプ３０ａ〜３０ｃの温度は、パワーアンプ３０ａ〜３０ｃのそれぞれの近傍に配置されたサーミスタ５０ａ〜５０ｃにて検出されている。
【００２１】
まず、制御部６０において、サーミスタ５０ａにて検出されたパワーアンプ３０ａの温度が一定時間所定の温度以上となっているかどうかが判断され（ステップ１）、パワーアンプ３０ａの温度が一定時間所定の温度以上となっていない場合、次に、制御部６０において、送信動作がパワーアンプ３０ａの通信方式で可能であるかどうかが判断され（ステップ２）、可能である場合は、パワーアンプ３０ａを用いて送信動作が行われる（ステップ３）。
【００２２】
また、パワーアンプ３０ａの温度が一定時間所定の温度以上となっている場合は、制御部６０において、サーミスタ５０ｂにて検出されたパワーアンプ３０ｂの温度が一定時間所定の温度以上となっているかどうかが判断され（ステップ４）、パワーアンプ３０ｂの温度が一定時間所定の温度以上となっていない場合、送信動作がパワーアンプ３０ｂの通信方式で可能であるかどうかが判断され（ステップ５）、可能である場合は、パワーアンプ３０ｂを用いて送信動作が行われる（ステップ６）。
【００２３】
また、パワーアンプ３０ｂの温度が一定時間所定の温度以上となっている場合は、制御部６０において、サーミスタ５０ｃにて検出されたパワーアンプ３０ｃの温度が一定時間所定の温度以上となっているかどうかが判断され（ステップ７）、パワーアンプ３０ｃの温度が一定時間所定の温度以上となっていない場合、送信動作がパワーアンプ３０ｃの通信方式で可能であるかどうかが判断され（ステップ８）、可能である場合は、パワーアンプ３０ｃを用いて送信動作が行われる（ステップ９）。
【００２４】
また、パワーアンプ３０ｃの温度が一定時間所定の温度以上となっている場合は、ステップ１における処理に移行する。
【００２５】
また、ステップ２にて送信動作がパワーアンプ３０ａの通信方式で可能ではないと判断された場合は、ステップ４における処理に移行する。
【００２６】
また、ステップ５にて送信動作がパワーアンプ３０ｂの通信方式で可能ではないと判断された場合は、ステップ７における処理に移行する。
【００２７】
また、ステップ８にて送信動作がパワーアンプ３０ｃの通信方式で可能ではないと判断された場合は、ステップ１における処理に移行する。
【００２８】
このように、パワーアンプ３０ａ〜３０ｃの温度を監視し、送信動作によってパワーアンプの温度が一定時間所定の温度以上となった場合、送信動作を行っていない等によって温度が一定時間所定の温度以上となっていないパワーアンプに切り換えて送信動作を行うことにより、安定した送信動作を行うことができるとともに、携帯電話機の温度上昇が回避され、ユーザーの使用感が向上する。
【００２９】
（他の実施の形態）
上記実施の形態に示したものにおいて、通信方式を切り替えることによって発熱をコントロールすることも考えられる。
【００３０】
図３は、本発明の携帯電話機の他の実施の形態の送信機能部分の構成を示す図であり、（ａ）はブロック図、（ｂ）は実装基板上の配置を示す図である。
【００３１】
本形態は図３に示すように、図１に示したものにおいて、他の通信方式として、Bluetooth７０とワイヤレスＬＡＮ（ＷＬＡＮ）８０とを有している。これらBluetooth７０とＷＬＡＮ８０は、実装基板上にて隔離して分散配置されている。
【００３２】
以下に、上述した携帯電話機における送信動作について説明する。
【００３３】
図４は、図３に示した携帯電話機における送信動作を説明するためのフローチャートである。
【００３４】
携帯電話機が通信状態になると、パワーアンプ３０ａ〜３０ｃのいずれかが動作し、送信出力によって、動作しているパワーアンプの温度が上昇することになるが、パワーアンプ３０ａ〜３０ｃの温度は、パワーアンプ３０ａ〜３０ｃのそれぞれの近傍に配置されたサーミスタ５０ａ〜５０ｃにて検出されている。
【００３５】
まず、制御部６０において、サーミスタ５０ａにて検出されたパワーアンプ３０ａの温度が一定時間所定の温度以上となっているかどうかが判断され（ステップ１１）、パワーアンプ３０ａの温度が一定時間所定の温度以上となっていない場合、次に、制御部６０において、送信動作がパワーアンプ３０ａの通信方式で可能であるかどうかが判断され（ステップ１２）、可能である場合は、パワーアンプ３０ａを用いて送信動作が行われる（ステップ１３）。
【００３６】
また、パワーアンプ３０ａの温度が一定時間所定の温度以上となっている場合は、制御部６０において、サーミスタ５０ｂにて検出されたパワーアンプ３０ｂの温度が一定時間所定の温度以上となっているかどうかが判断され（ステップ１４）、パワーアンプ３０ｂの温度が一定時間所定の温度以上となっていない場合、送信動作がパワーアンプ３０ｂの通信方式で可能であるかどうかが判断され（ステップ１５）、可能である場合は、パワーアンプ３０ｂを用いて送信動作が行われる（ステップ１６）。
【００３７】
また、パワーアンプ３０ｂの温度が一定時間所定の温度以上となっている場合は、制御部６０において、サーミスタ５０ｃにて検出されたパワーアンプ３０ｃの温度が一定時間所定の温度以上となっているかどうかが判断され（ステップ１７）、パワーアンプ３０ｃの温度が一定時間所定の温度以上となっていない場合、送信動作がパワーアンプ３０ｃの通信方式で可能であるかどうかが判断され（ステップ１８）、可能である場合は、パワーアンプ３０ｃを用いて送信動作が行われる（ステップ１９）。
【００３８】
また、パワーアンプ３０ｃの温度が一定時間所定の温度以上となっている場合は、制御部６０において、送信動作がBluetooth７０で可能であるかどうかが判断され（ステップ２０）、可能である場合は、通信方式がBluetooth７０に切り替えられて送信動作が行われる（ステップ２１）。
【００３９】
また、送信動作がBluetooth７０で可能ではない場合は、送信動作がＷＬＡＮ８０で可能であるかどうかが判断され（ステップ２２）、可能である場合は、通信方式がＷＬＡＮ８０に切り替えられて送信動作が行われる（ステップ２３）。
【００４０】
また、ステップ１２にて送信動作がパワーアンプ３０ａの通信方式で可能ではないと判断された場合は、ステップ１４における処理に移行する。
【００４１】
また、ステップ１５にて送信動作がパワーアンプ３０ｂの通信方式で可能ではないと判断された場合は、ステップ１７における処理に移行する。
【００４２】
また、ステップ１８にて送信動作がパワーアンプ３０ｃの通信方式で可能ではないと判断された場合は、ステップ２０における処理に移行する。
【００４３】
また、ステップ２２にて送信動作がＷＬＡＮ８０で可能ではないと判断された場合は、ステップ１１における処理に移行する。
【００４４】
このように、本形態においては、Bluetooth７０やＷＬＡＮ８０が使用可能な状態であれば、発熱しているパワーアンプの動作を止めて通信方式を切り替え、Bluetooth７０やＷＬＡＮ８０を用いて送信動作を行うことになる。
【符号の説明】
【００４５】
１０ａ〜１０ｅ    アンテナ
２０ａ〜２０ｃ    ＤＰＸ
３０ａ〜３０ｃ    パワーアンプ
４０    ベースバンド部
５０ａ〜５０ｃ    サーミスタ
６０    制御部
７０    Bluetooth
８０    ＷＬＡＮ
【図１】
2012182636.tif 000003
【図２】
2012182636.tif 000004
【図３】
2012182636.tif 000005
【図４】
2012182636.tif 000006
【図５】
2012182636.tif 000007